(57)【要約】【課題】頭を支える基台全体が適当な傾斜角を持って、上昇出来る枕であり枕の高さを高くして、テレビ枕、肘掛け枕としても併用して使用できるものである。寝たままの状態でも、非常に楽に高さを調整出来る枕を提供する。【解決手段】ベース部材と枕本体部材が、リンク部材を介してＸ字状に設置され、ラチェット機構を備えた駆動部により枕本体部材が水平面に対して傾斜して上昇する機能を備えていて、枕部材の下端に位置するパネル部材の両端を上に上げるとラチェット機構が作用して高さを上昇させる。【選択図】図７
2016140738.tif 000002
【特許請求の範囲】
【請求項１】
頭部を載置する枕本体部と、該枕本体部の下側に位置するベース部材を備え、前記枕本体部は、ベース部材に対して上下動可能となるようにリンク部材を介して両者が連係されるとともに、前記枕本体部と、ベース部材とは、該ベース部材に対して枕本体部の高さを可変とするラチェット機構を介して連結されていることを特徴とする枕構造。
【請求項２】
前記リンク部材は、少なくとも２本のリンク棒が回動軸で連結されてＸ字状に構成されており、このＸ字状のリンク部材の上側の連結部の一方は、回動可能に前記枕本体部に連結され、他方は前記枕本体部に対してスライド可能に連結されるとともに、Ｘ字状のリンク部材の下側の連結部は、その一方が、回動可能に前記ベース部材に連結され、他方が前記ベース部材に対してスライド可能に連結されており、前記Ｘ字状のリンク部材の回動軸は、少なくとも１つのリンク棒に対して非対象となる位置に設けられることで前記枕本体部上下移動時に傾斜しながら上下することを特徴とする請求項１記載の枕構造。
【請求項３】
前記枕本体部は、前記リンク部材が連結されるパネル材と、該パネル材に取り付けられるクッション部材とで構成されており、該クッション部材は頭部が載置される頭部載置部と該頭部載置部から前記ベース部材側に向けて下方に延びる延長部とを備えていることを特徴とする請求項１または２記載の枕構造。
【発明の詳細な説明】
【技術分野】
【０００１】  本発明は、就寝の状態で高さ調節が可能な枕に関するものであり、腕枕まで高さが簡易に変更できる枕に関する。
【背景技術】
【０００２】  近年では、例えば特許文献１に示すように角度が１箇所を軸として傾斜角度が大きくなるもの、エアーを使用して高さを変えるもの、また布を重ねて高さを調整するもの等さまざまなものが発売されている。【０００３】  特許文献１では傾斜角度が大きくなるにつれて枕の傾斜角度が１箇所を軸として大きくなるが、この方法では傾斜角度が、大きくなるにつれて頭部が前方に傾き、枕が後方に移動する力が発生してしまい不便である。また傾斜角度を大きくするためのレバ−の操作は大変難しい。また特許文献２ではエア−を使用して高さを変えるものであるが、高さを変えるために相当の時間が必要である。このような枕では、操作が困難でありスム−ズな移動はできない。いずれの場合でも、人が寝たままの状態での、高さの変更は出来ない。【０００４】  枕の高さを高くして、テレビ枕、肘掛け枕として使用しようとした時、多くの人は座布団を折り曲げて使用していて大変不便である。またこの問題を解決できる枕はない。
【先行技術文献】
【特許文献】
【０００５】
【特許文献１】特開２０１４−２００４４０号公報
【特許文献２】特開２００２−２３８７１６号公報
【発明の概要】
【発明が解決しようとする課題】
【０００６】  本発明は、上記課題を解決するためになされたものであり、頭を支える基台全体が適当な傾斜角を持って、上昇出来る枕を提供する。枕の高さを高くして、テレビ枕、肘掛け枕としても併用して使用できるものである。【０００７】  また本発明は、寝たままの状態でも、非常に楽に高さを調整出来る枕を提供する。
【課題を解決するための手段】
【０００８】  本発明に係る枕はベース部材と枕本体部材が、リンク部材を介してＸ字状に設置され、ラチェット機構を備えた駆動部により枕本体部材が水平面に対して傾斜して上昇する機能を備えている。【０００９】  本発明の枕によると、使用者は枕部材の下端に位置するパネル部材の両端を上に上げるとラチェット機構が作用して高さが１段階上昇する。使用者はさらに高さを上昇させるためには、再度可動部材の両端を上に上げると可能となり、最良の位置で使用出来る。なお、高さを低く設定するためには、パネル部材の両端を最大限に上に上げると、ラチェット機構は角度が解除されて最低（最下位）の位置にもどることができる。【００１０】
【発明の効果】
【００１１】  本発明に係る枕によれば、使用者の好みに合わせて枕の高さ調整を行うことができる。就寝の状態でこの動作を行えるので大変楽である。また首の高さを、容易に変えることにより睡眠が楽になる。
【図面の簡単な説明】
【００１２】
【図１】本発明の枕の第１実施形態を示し、枕の高さ調整角度が最小値（０度）の側面図である。
【図２】本発明の第１実施形態を示し、枕の高さ調整角度が中間（１５度）の側面図である。
【図３】本発明の第１実施形態を示し、枕の高さ調整角度が最大値（３０度）の側面図である。す屈曲角度が最大値の側面図である。
【図４】ラチェット機構の側面図である。
【図５】第１実施形態のラチェット機構を除いた側面図である。
【図６】第１実施形態のラチェットの機構の側面図である。
【図７】使用時の斜視図である。
【図８】使用時の後ろ下側から見た斜視図である。
【図９】枕の高さを変えるときの斜視図である。
【発明を実施するための形態】
【００１３】  本発明に係る枕の第１実施形態について、図面を参照して説明する。頭部を載置する枕本体部１と、該枕本体部１の下側に位置し、木材で成形された略長方形状のベース部材２とで枕が構成されている。そして、この枕本体部１とベース部材２とは、リンク部材３で連係されている。
【００１４】  前記枕本体部１は、平板状のパネル材１３と、該パネル材上に取り付けられるクッション材１１と、該クッション材１１を覆う表皮材１４とで構成されている。そして、前記クッション材１１は、頭部を載置する頭部載置部１９から前側部分が下方に延びた延長部１２が形成されており、該延長部１２は、前記したリンク部材３を覆って遮蔽するように構成されている。
【００１５】  前記リンク部材３は、二つのリンク棒３２、３３とを備え、回動軸３１によってＸ字状に構成されている。そして、前記したリンク棒３２の下側は、前記ベース部材２の上面に設けられた前側軸受台２４に軸２２を介して回動可能に軸支され、前記リンク棒３３の下側は、前記ベース部材２の上面に設けられた後側軸受台２５に軸２３を介して連係されている。前記した後側軸受台２５には前後方向に延びる長溝２６が形成されており、この長溝２６内を前記リンク棒３３に設けられている軸２３が前後にスライドすることで下側スライド機構２１が構成されている。
【００１６】  一方、前記したリンク棒３３の上側は、前記パネル材１３の下面に設けられた前側軸受台１５に軸１６を介して回動可能に軸支され、前記リンク棒３２の上側は、前記パネル材１３の下面に設けられた後側軸受台１７に軸３５を介して連係されている。前記した後側軸受台１７には前後方向に延びる長溝１８が形成されており、この長溝１８内を前記リンク棒３２に設けられている軸３５が前後にスライドすることで上側スライド機構３４が構成されている。なお、リンク部材３は左右に２か所設けられている。（図８参照）
【００１７】  前記した左右のリンク部材３の間には、ラチェット機構４０が介在されている。このラチェット機構４０は、下側の端部がベース部材２の上面に設けられているＬ型ブラケット２７の縦壁部分に回動軸４２によって回動可能に軸支されている。このラチェット機構４０は、ラチェット本体部４３と、該ラチェット本体部４３から延びるレバー部４４と、該レバー部４４に固定されるバー部材４５とから構成されている。このラチェット機構４０は、左右のリンク部材３の間で、リンク部材３と同様に左右に２か所配置され、左右のバー部材４５、４５は横方向に延びる連結部材４６によって連結されている。
【００１８】  前記したラチェット機構４０は、左右に配置されているラチェット本体部４３がベース部材２の上面に設けられたＬ型ブラケット２７、２７にそれぞれ軸４２、４２によって回動可能に軸支されている。一方、ラチェット機構４０の上側は、前記連結部材４６の左右両端部に設けた軸４１、４１が前記後側軸受台１７の長溝１８、１８に係合されて、該長溝１８，１８内を前後方向にスライドするようになっている。なおラチェット機構４０は、レバー部４４と一体に回動するラチェット４７と、このラチェット４７に係脱可能となっているカム４８とから構成され、前記ラチェット４７にカム４８が噛み合うことで、レバー部の傾斜状態を保持し、両者の噛み合いが外れることでレバー部の傾斜状態を解除するようになっている。
【００１９】  次に本発明の枕構造の作動について説明する。枕本体部１の両端部を手で持って上方に持ち上げると、リンク部材３は、リンク棒３２，３３の軸２２．軸１６が、それぞれ前側軸受台２４、１５に軸支されているため、リンク棒３２，３３のそれぞれの軸３５、軸２３が後側軸受台２５の長溝２６内および、後側軸受台１７の長溝１８内を前方向にスライドする。これによって枕本体部１は、ベース部材２に対して上方へ持ち上げられる。この時ラチェット機構４０は、ラエット４７が一段上がった時に手を離すとこの位置で枕本体部の高さが一段高くなった状態で固定される。さらに高さを高くするためには再度枕本体部の両端を持って持ち上げることで可能となる。この動作を繰り返すことで枕本体部１の高さを複数段の高さに変更できるようになる。なお、ラチェット機構４０は、枕本体部を最上昇位置まで持ち上げるとラチェット４７とカム４８の係合が解除されて最下端位置まで下がるように構成されている。この高さ調整方法は、図９に示すように就寝の状態で両手を後ろに廻し枕本体部１の両端を手で上方に持ち上げる。このとき頭を若干上に浮き上がらせるようにして行なうと良い。
【００２０】  枕本体部１の最上昇位置でラチェットを解除できる角度、つまりラチェット機構４０がベース部材２に対しての傾斜角度は３０度としている。これはラチェットを解除する角度を３０度以上に設定すると、ラチェット４５を図面左方向に動かすトルクが弱くなりラチェットを解除することが難しくなるためである。
【００２１】  前記したリンク部材３は、二つのリンク棒３２、３３を軸支している回動軸３１がリンク棒３２、３３の長手方向の中間部に設けられることなく、前側方向に変位した位置に設けられている。つまり、図５に示すようにリンク棒３２においては、回動軸３１から軸３５までの後側方向の距離Ａと、回動軸３１から軸２２までの前側方向の距離ａとが、Ａ＞ａの関係となっている。また、リンク棒３３においては、回動軸３１から軸２３までの後側方向の距離Ｂと、回動軸３１から軸１３までの前側方向の距離ｂとが、Ｂ＞ｂの関係となっている。この条件、Ａ＞ａとＢ＞ｂの関係は、どちらか一方がこの条件を満たしていれば良い。このような非対称となる構成にすることで、枕本体部１を持ち上げて高さを高くする際に枕本体部１の上昇に伴って枕本体部１が平行に上昇することなく、前側に少しずつ傾斜しながら上昇することとなる。これによって、枕を使用する人の首の角度が適度な角度が得られるようになる。
【００２２】  上記した実施例では、リンク部材３の軸３５と、ラチェット機構４０の軸４１が係合する長溝１８を共通の後側軸受台に設けることで部品の共通化が図れてコスト削減の効果がある。
【００２３】  また、枕本体部１には、前側部分に下側に延長部１２を設けているために、リンク部材３等が遮蔽されることとなり見栄えが向上するという効果がある。また枕を使用する人の首部分がリンク部材に接触することも防止でき不快感がなくなるという利点もある。
【００２４】  最上の位置では、枕というよりは、「テレビを見るときの腕枕」としての使用が可能である。枕としての使用領域を超えて、家庭で楽しむことが出来て大変便利である。
【図１】
2016140738.tif 000003
【図２】
2016140738.tif 000004
【図３】
2016140738.tif 000005
【図４】
2016140738.tif 000006
【図５】
2016140738.tif 000007
【図６】
2016140738.tif 000008
【図７】
2016140738.tif 000009
【図８】
2016140738.tif 000010
【図９】
2016140738.tif 000011